(57)【要約】【課題】芳香、除虫、空気中の雑質ろ過、加湿機能などの異なるニーズに応える多機能のエアー循環改善システムを提供する。【解決手段】下導流面１０を設ける台座１と、台座１の上方に設置され、内導流面２１を設け、壁２０に出口２２を設ける分流台２と、モーター４０の芯軸にファンブレード４１を設け、モーター４０をケースボディーに設置し、ケースボディーに気流進入孔を設ける主機４と、を備え、ファンブレード４１回転時、ケースボディーの穴４６から気流を吸入し、分流台２の内導流面２１を経て、台座１の下導流面１０に分流させ、下導流面１０のリングを経て、分流台２の出口２２を通した後、室内空間へ送る。【選択図】図４
2009268882.tif 000002
【特許請求の範囲】
【請求項１】
下導流面を設ける台座と、
前記台座の上方に設置され、内導流面を設け、壁に出口を設ける分流台と、
モーター芯軸にファンブレードを設け、モーターをケースボディーに設置し、前記ケースボディーに気流進入孔を設ける主機と、
を備え、
前記ファンブレード回転時、前記ケースボディーの穴から気流を吸入し、前記分流台の前記内導流面を経て、前記台座の前記下導流面に分流させ、前記下導流面のリングを経て、前記分流台の前記出口を通した後、室内空間へ送ることを特徴とする多機能のエアー循環改善システム。
【請求項２】
前記分流台にある前記内導流面は、上の幅が広く、下へ向かって段々狭くなることを特徴とする請求項１に記載の多機能のエアー循環改善システム。
【請求項３】
下導流面を設け、前記下導流面に網台を設ける台座と、
前記台座の上方に設置され、かつ前記台座と結合し、上方に内導流面を設け、ファンブレードによって生ずる気流が前記内導流面を経て、前記台座に入り、前記内導流面の出口にフィルターを取付け、前記フィルターの中に環境改善物を設けることが可能な分流台と、
モーター芯軸にファンブレードを設け、モーターをバックカバーの中に設置し、前記バックカバーはフロントカバーと結合し、前記ファンブレード回転時、前記バックカバーから気流を吸入し、ケースボディー飾り板を経て、気流を前記分流台へ送り、前記台座を経てから室内空間へ送る主機と、
を備えることを特徴とする多機能のエアー循環改善システム。
【請求項４】
前記台座にある前記下導流面に芳香剤を入れるためのアンダーカットを設け、かつ前記アンダーカットをカバーするために、前記アンダーカットに上蓋を設けることを特徴とする請求項１に記載の多機能のエアー循環改善システム。
【請求項５】
前記台座にある壁面に近接する上リングの辺縁にスナップスロットを設けることを特徴とする請求項３に記載の多機能のエアー循環改善システム。
【請求項６】
前記台座にある前記下導流面に前記網台を取付け、前記網台に斜壁面を設置し、かつ前記斜壁面の下方に外へ延伸する環面を設け、前記環面の外側に吸水紙を入れるために上環面を設けることを特徴とする請求項３に記載の多機能のエアー循環改善システム。
【請求項７】
前記網台と前記台座の壁面に吸水紙を入れるために、一つの空間を設置することを特徴とする請求項３に記載の多機能のエアー循環改善システム。
【請求項８】
前記台座の底部にアンダーカットを設け、前記アンダーカットの周辺に滑り止めパッドを設けることを特徴とする請求項３に記載の多機能のエアー循環改善システム。
【請求項９】
前記分流台にある壁にスナップ柱を設置し、前記スナップ柱を利用し、前記台座の壁面にあるスナップスロットと結合することを特徴とする請求項３に記載の多機能のエアー循環改善システム。
【請求項１０】
前記分流台にある前記内導流面にカットスロットを取付けることによって、前記内導流面に適切な弾性を与え、前記フィルターと結合することを特徴とする請求項３に記載の多機能のエアー循環改善システム。
【請求項１１】
前記分流台にある前記内導流面に突出部を設け、フィルター台の壁に長アンダーカットを設置し、前記長アンダーカットを利用し、前記内導流面にある前記突出部と結合することによって、前記下導流面に取付けられた網台を前記内導流面の前記出口に固定することを特徴とする請求項１０に記載の多機能のエアー循環改善システム。
【請求項１２】
前記分流台にある前記内導流面の前記出口にフィルターを設置し、前記フィルターは第一フィルター台及び第二フィルター台によって構成され、かつ前記第一フィルター台及び前記第二フィルター台に網穴を設けることを特徴とする請求項３に記載の多機能のエアー循環改善システム。
【請求項１３】
前記第一フィルター台の壁に突出部を設置し、かつ前記第二フィルター台の壁に小アンダーカットを取付け、前記第一フィルター台の前記突出部を利用して、前記第二フィルター台の前記小アンダーカットと結合することによって、環境改善物を置く空間を形成することを特徴とする請求項１２に記載の多機能のエアー循環改善システム。
【請求項１４】
前記フィルターは、上方にある第一フィルター台に仕切片を設置し、かつ前記第一フィルター台及び第二フィルター台に通し穴を設けることを特徴とする請求項３に記載の多機能のエアー循環改善システム。
【請求項１５】
前記主機にある前記バックカバーに栓取付柱を設置し、前記フロントカバーに前記栓取付柱を合わせ、また栓取付デバイスによって、前記バックカバーは、前記フロントカバーと一体に結合されることを特徴とする請求項３に記載の多機能のエアー循環改善システム。
【請求項１６】
前記フロントカバーは、前記ケースボディー飾り板と一体に結合することを特徴とする請求項１５に記載の多機能のエアー循環改善システム。
【請求項１７】
固定ピンを設置し、前記固定ピンは栓によってデバイスを底部に固定して設け、底部にアンダーカットを設ける台座と、
バックカバーに長レール溝を設置し、かつ前記長レール溝の先端に穴状溝を設け、前記台座の固定ピンを前記穴状溝に入れ、かつ前記長レール溝の中で移動可能であって、前記台座との結合方式を変更させる主機と、
を備えることを特徴とする多機能のエアー循環改善システム。
【請求項１８】
フィルターのフィルター台に固定ピンを取付け、前記主機の前記バックカバーに設けられた前記長レール溝と合わせて、前記台座と前記主機との結合方式を変更させることを特徴とする請求項１７に記載の多機能のエアー循環改善システム。
【発明の詳細な説明】
【技術分野】
【０００１】
本発明は、多機能のエアー循環改善システムに関し、特に主機と台座との間に多種類の結合様式を備え、ユーザーのニーズによって、芳香・除虫・空気中の雑質ろ過・加湿或いは単純な室内空気循環器として使用できる多機能のエアー循環改善システムに関する。
【背景技術】
【０００２】
特許文献１に開示される多機能の扇風機は、従来の本体下蓋に左、右固定座を取付け、左固定座にモーターを設け、モーターは駆動伝動機構であって、一組の駆動歯棒を上・下に作動させる。本体下蓋の底部に連結棒の固定座を設置し、連結棒の固定座に連結棒を設ける。本体上蓋を本体下蓋の上方に取付け、本体上蓋の中にモーターカバー溝及び連結棒が置かれる連結棒溝を設け、また一組の駆動歯棒を通過させる歯棒穴を設け、ほかに一つの精油溝を設置する。一組の駆動歯棒の上端は、一つの扇風カバーの後柵上方に設置されている一組の凸耳を相互に設置し、連結棒前端部を扇風カバーの後柵下方の中央部に設け、扇風カバーの後柵上方の内部にモーターを備えるモーターカバーを取付け、扇風カバーの後柵前方に一つの扇風カバーの前柵があって、扇風カバーの後柵と扇風カバーの前柵との間に、風吹く扇風を設け、精油溝の中に精油箱を設置する。
【０００３】
即ち上記の従来のものは、精油を置く精油溝を備えるが、本体上蓋の中に別に設置し、かつ扇風機を作動させる場合は、連結棒を駆動しなければならないために、構造は非常に複雑で、コストも高い。
このために、本発明者は、長年の各種商品設計と研究開発経験によって、上記従来の扇風機の欠点に対して研究をし、本ケースを発明した。
【０００４】
【特許文献１】台湾特許第３６６９６３号明細書
【発明の開示】
【発明が解決しようとする課題】
【０００５】
本発明の主な目的は、一種の多機能のエアー循環改善システムを提供し、主機と台座上方とが結合し、芳香・除虫・空気中の雑質ろ過・加湿機能などの異なるニーズを提供する。
本発明のもう一つの目的は、一種の多機能のエアー循環改善システムを提供し、主機と台座底部とが結合し、扇風機の機能を果たし、室内空気循環器として使用される。
【課題を解決するための手段】
【０００６】
上記目的を達成するため、本発明に係る多機能のエアー循環改善システムは、台座に下導流面を設置し、芳香剤を置くために下導流面にアンダーカットを設ける。上蓋を設置し、上記アンダーカットの上方に被せる。吸水紙を置くために、下導流面に網台を設置し、加湿機能を提供する。
また、本発明に係る多機能のエアー循環改善システムは、その中にある台座底部に固定ピンを設置し、主機と台座とを結合させることによって、室内空間の空気循環器を形成する。
【０００７】
さらに、本発明に係る多機能のエアー循環改善システムは、台座に分流台を取付け、分流台に内導流面を設置し、ファンブレードによって生ずる気流が内導流面を経て、下方へ導流され、台座に入る。内導流面の出口にフィルターを取付け、フィルターは二つのフィルター台によって構成され、環境改善物、例えば芳香精油、芳香剤、除湿剤、活性炭ブロック等を置くために、二つのフィルター台の間に空間を設ける。
【０００８】
またさらに、本発明に係る多機能のエアー循環改善システムは、主機のモーター芯軸にファンブレードを設け、制御システムによって作動を制御する。モーターをケースボディーに設置し、ファンブレード回転するとき、ケースボディーから気流を吸入し、フロントカバーを経て、分流台へ送り、また台座の下導流面を経て、分流台の出口を通った後、室内空間へ送る。
【０００９】
またさらに、本発明に係る多機能のエアー循環改善システムは、主機のモーター芯軸にファンブレードを設け、制御システム作動を制御する。モーターをケースボディーに設置し、ファンブレード回転するとき、ケースボディーから気流を吸入し、フロントカバーを経て、気流を上記分流台へ送り、また台座の下導流面を経て、分流台の出口を通った後、室内空間へ送る。
またさらに、本発明に係る多機能のエアー循環改善システムは、主機のバックカバー上方に長レール溝を設置し、長レール溝は上記台座底部の固定ピンによって結合すると、主機は独立作動し、室内気流循環用扇風機として使用される。
【発明を実施するための最良の形態】
【００１０】
本発明の実施の形態を図面に基づいて説明する。
（第１実施形態）
本発明の第１実施形態による多機能のエアー循環改善システムは、図１に示すように、台座１に下導流面１０を設け、液体や固体芳香剤等の環境改善物を置くために、下導流面１０の中央部にアンダーカット１１を設ける。アンダーカット１１に上蓋１２を設置し、アンダーカット１１に被せる。上蓋１２に数多くの穴１２０を設けることによって、気流は上蓋１２の穴１２０からアンダーカット１１の中に入り、またアンダーカット１１の中に放置された芳香剤の香りを気流により室内へ送り、室内に香りを拡散させる。また台座１の壁面１３に近接する上リング１３０の辺縁に、スナップスロット１３１を設ける。
【００１１】
図４及び図６に示すように、下導流面１０の上方に網台１４を設置する。網台１４は数多くの網穴を有し、網穴は同形状或いは異形状であって良い。また網穴の数量はニーズによって設けられ、必ず密布状とは限らない。網台１４に斜壁面１４０を設け、斜壁面１４０の下方に外へ延伸する環面１４１を設け、環面１４１の外側に吸水紙１４３を入れるために、更に上環面１４２を設ける。よって、図４及び図６に示すように、網台１４は実質的に台座の下導流面１０の上方に直接設置され、かつ網台１４と台座１の壁面１３とにより形成された空間１５を利用することによって、吸水紙１４３を置き、また吸水紙１４３を適切にその空間１５の中に固定し、気流が吸水紙１４３を経た後、吸水紙１４３の中に含まれた湿気を取り去り、分流台２の出口２２を経て室内へ送られるので、加湿機能を有する。
【００１２】
また図１、図４及び図６で示すように、台座１に固定ピン１６を設置し、固定ピン１６は更に栓取付デバイス１６０により台座底部に固定される。また台座１にアンダーカット１７を設け、アンダーカット１７の周辺に複数個の滑り止めパッド１７０を取り付ける。滑り止めパッド１７０の目的は図４で示すように、本実施形態による多機能のエアー循環改善システムを完全に平面に固定する以外に、滑動を防止する。
【００１３】
分流台２を台座１の上方に設置し、図１及び図６で示すように、分流台２の壁２０の下方に複数個のスナップ柱２００を設け、スナップ柱２００を利用して、台座１の壁面１３のスナップスロット１３１と嵌合することより、分流台２は台座１と速やかに結合し、いかなる器具をも利用せずに、図２、図４及び図５で示すように、台座１と簡単に結合或いは分解されることができ、かつ非常に緊密に結合する。
【００１４】
分流台２に内導流面２１を設置する。内導流面２１は、上方が広く、下へ段々狭くなる。主機４のファンブレード４１により発生した気流は、上記の上方が広く下が狭い内導流面２１を経た後、更に集中かつ下方へ導流されてから、台座１の下導流面１０に入り、分流の効果が得られる。
図１、図４及び図６で示すように、内導流面２１に複数個のカットスロット２１０を設置し、内導流面２１に適切な弾性を与えることによって、フィルター３と結合させ、かつ内導流面２１の内側に複数個の突出部２１１を設ける。また、壁２０に出口２２を設ける。さらに内導流面２１の出口にフィルター３を取付け、フィルター３は二つのフィルター台３０、３１により構成され、かつ各フィルター台３０、３１に網穴３２を設ける。
【００１５】
図１で示すように、フィルター台３０の壁３００にコ字状の長アンダーカット３０１を設置し、長アンダーカット３０１を利用し、内導流面２１の突出部２１１と嵌合させると、図４及び図６に示すように、網台３が内導流面２１の出口に固定される。また、図１で示すように、フィルター台３０の壁３００に突出部３０２を設置し、かつもう一つのフィルター台３１の壁３１０に複数個の小アンダーカット３１１を取付けることより、フィルター台３０の突出部３０２を利用して、フィルター台３１の小アンダーカット３１１と嵌合させる。よって、図４及び図６で示すように、二つのフィルター台３０、３１が結合すると、空間３３が形成され、その空間３３の中に環境改善物、例えば芳香精油・芳香剤・除湿剤・活性炭ブロック等を設置する。
【００１６】
また図１、図４及び図６で示すように、フィルター３のフィルター台３０の上方に仕切片３０３を設置し、かつフィルター台３０、３１の中央部に通し穴３４を設け、台座１に上蓋１２を取付けることより、気流は内導流面２１を経て下方へ導流され、仕切片３０３によって、気流が分流される以外に、また大量な気流が台座１を通過し、芳香剤を放置するアンダーカット１１により、空気中の雑質を充分ろ過し、或いは大量な芳香剤を室内へ送り、室内の匂いを除去することによって、ユーザーに新鮮な空気を提供する。
【００１７】
主機４のモーター４０の芯軸にファンブレード４１を設置し、制御システム４２によって作動を制御する。図４及び図６で示すように、モーター４０及びファンブレード４１はケースボディーのバックカバー４３に固定され、またバックカバー４３に複数個の栓取付柱４３０が設けられる。ケースボディーにフロントカバー４４を設け、フロントカバー４４に複数個の栓取付柱４４０を設け、また複数個の栓取付デバイス１６０を設け、バックカバー４３はフロントカバー４４によりケースボディーと結合する。当然、成型技術により、バックカバー４３、４４を一体にしてもよい。またフロントカバー４４はケースボディー飾り板４５と結合されて一体になる。かつバックカバー４３とケースボディー飾り板４５に複数個の穴４６を設け、ファンブレード４１が回転するとき、バックカバー４３から気流を吸入し、フロントカバー４４のケースボディー飾り板４５より、気流を分流台２へ輸送し、台座１を通過して室内空間へ送ることにより、第一種の運用例を形成する。
【００１８】
よって、図４で示すように、主機４のファンブレード４１は、穴４６を通して、室内空気を吸入し気流を形成させ、その気流は分流台２に設けた上方が広くて下方がせまい内導流面２１を経た後、気流は更に集中しかつ下方へ導流されてから、再び台座１に進入し、もし台座１に環境改善物を置いたら、気流の中に環境改善物を混入させ、また台座１の下導流面１０の分流を通して、再び分流台２の出口２２を経て、室内へ送られると、環境改善とエアー循環の目的が達成される。
【００１９】
台座１に固定ピン１６を設置し、固定ピン１６は栓取付デバイス１６０によって、台座底部に固定される。また台座底部にアンダーカット１７を設ける。
主機４のバックカバー４３に長レール溝４３２を設置し、かつ長レール溝４３２の先端に直径がより大きい穴状溝４３３を設ける。
よって、台座１の固定ピン１６を主機４の穴状溝４３３に置き、長レール溝４３２の中で移動すると、図８から図１０で示すように、台座１と主機との結合方式が変更され、主機本体にあるモーターとファンブレードを利用し、室内空気循環器として、主機を独立作動させることができる。
分流台２の内導流面２１の出口にフィルター３が結合され、フィルター３は二つのフィルター台３０、３１によって構成され、かつ各フィルター台３０、３１に網穴３２を設ける。
【００２０】
（第２実施形態）
図１１は、本発明の第２実施形態による多機能のエアー循環改善システムであって、フィルター台３０の壁３００にスナップリング３０１Ａを設置し、スナップリング３０１Ａを利用し、内導流面２１の突出部２１１と結合させると、図１４に示すように、網台３は内導流面２１の出口に固定される。また図１４で示すように、フィルター台３０の壁３００の内側に結合リング３０４を設け、かつもう一つのフィルター台３１の壁３１０の外側にスナップリング３１１Ａを設けることより、フィルター台３０の結合リング３０４を利用し、フィルター台３１のスナップリング３１１Ａと結合させる。これにより、図１４で示すように、二つのフィルター台３０、３１が結合すると、空間３３が形成され、その空間３３の中に環境改善物、例えば芳香精油・芳香剤・除湿剤・活性炭ブロック等を設置する。
【００２１】
また図１１、図１２及び図１４で示すように、フィルター３のフィルター台３０に固定ピン３０５を設置し、主機４のバックカバー４３に設けられた長レール溝４３２と結合し、かつ長レール溝４３２の先端に、直径がより大きいな穴状溝４３３を設ける。
台座１に固定ピン１６を設置し、固定ピン１６は栓取付デバイス１６０によって、台座底部に固定される。更に台座底部にアンダーカット１７を設ける。
【００２２】
これにより、台座１の固定ピン１６或いは分流台２の固定ピン３０５を主機４の穴状溝４３３から、長レール溝４３２の中で移動して、図８から図１０、図１３及び図１４で示すように、台座１と主機との結合方式が変更され、主機４本体のモーター４０とファンブレード４１を利用し、室内空気循環器として、主機４を独立作動させることができる。
よって、本発明の多機能のエアー循環改善システムは、その中の主機・分流台・台座が結合され、分流台或いは台座内部に設置された芳香剤・活性炭・その他芳香を利用した物品により除臭・除湿すると、室内に新鮮かつ芳香な香りを放つ空気が形成される。また主機と台座底部を直接結合すると、最も良い室内空気循環効果が得られるので、本発明は、正に多機能のエアー改善循環効果をもたらす。
【図面の簡単な説明】
【００２３】
【図１】本発明の第１実施形態による多機能のエアー循環改善システムを示す分解斜視図である。
【図２】本発明の第１実施形態による多機能のエアー循環改善システムを示す分解斜視図である。
【図３】本発明の第１実施形態による多機能のエアー循環改善システムを示す平面図である。
【図４】図３のＡ−Ａ線に沿う断面図である。
【図５】本発明の第１実施形態による多機能のエアー循環改善システムを示す側面図である。
【図６】図５のＢ−Ｂ線に沿う断面図である。
【図７】本発明の第１実施形態による多機能のエアー循環改善システムの独立運用状態を示す分解斜視図である。
【図８】本発明の第１実施形態による多機能のエアー循環改善システムの独立運用状態を示す側面図である。
【図９】図８のＣ−Ｃ線に沿う断面図である。
【図１０】本発明の第１実施形態による多機能のエアー循環改善システムの独立運用状態を示す側面図である。
【図１１】本発明の第２実施形態による多機能のエアー循環改善システムを示す分解斜視図である。
【図１２】本発明の第２実施形態による多機能のエアー循環改善システムを示す分解斜視図である。
【図１３】本発明の第２実施形態による多機能のエアー循環改善システムの独立運用状態を示す側面図である。
【図１４】図１３のＤ−Ｄ線に沿う断面図である。
【符号の説明】
【００２４】
１：台座、１０：下導流面、１１：アンダーカット、１２：上蓋、１２０：穴１２０、１３：壁面、１３０：上リング、１３１：スナップスロット、１４：網台、１４０：斜壁面、１４１：環面、１４２：環面、１５：空間、１６：固定ピン、１６０：栓取付デバイス、１７：アンダーカット、１７０：滑り止めパッド、２：分流台、２０：壁、２００：スナップ柱、２１：内導流面、２１０：カットスロット、２１１：突出部、２２：出口、３：フィルター、３０、３１：フィルター台、３２：網穴、３００：壁、３０１：長アンダーカット、３０１Ａ：スナップリング、３０２：突出部、３０３：仕切片、３０４：結合リング、３０５：固定ピン、３１１：小アンダーカット、３１１Ａ：スナップリング、３３：空間、３４：通し穴、４：主機、４０：モーター、４１：ファンブレード、４２：制御システム、４３：バックカバー、４３０：栓取付柱、４３２：長レール溝、４３３：穴状溝、４４：フロントカバー、４４０：栓取付柱、４５：ケースボディー飾り板
【図１】
2009268882.tif 000003
【図２】
2009268882.tif 000004
【図３】
2009268882.tif 000005
【図４】
2009268882.tif 000006
【図５】
2009268882.tif 000007
【図６】
2009268882.tif 000008
【図７】
2009268882.tif 000009
【図８】
2009268882.tif 000010
【図９】
2009268882.tif 000011
【図１０】
2009268882.tif 000012
【図１１】
2009268882.tif 000013
【図１２】
2009268882.tif 000014
【図１３】
2009268882.tif 000015
【図１４】
2009268882.tif 000016